(57)【要約】      （修正有）【課題】紙を切断する際に環境を清浄化しうるシュレッダーを提供する。【解決手段】マイナスイオン発生装置１２を一体に有し、上記マイナスイオン発生装置はシュレッダー本体１３に内蔵され、上記シュレッダー本体のケース１４にはマイナスイオン噴出口１５が設けられている。上記マイナスイオン発生装置により形成されるマイナスイオンの発生数は、上記噴出口から１ｍ離れた位置で、１立方センチメートル当たり２００００個となるように設定されている。上記シュレッダー本体にはレターオープナー１６が設けられ、上記シュレッダー本体は、引き出し型のダストボックス１７を有している。【選択図】図１
0003114248.tif 000002
【実用新案登録請求の範囲】
【請求項１】
マイナスイオン発生装置を一体に有し、上記マイナスイオン発生装置はシュレッダー本体に内蔵され、上記シュレッダー本体のケースにはマイナスイオン噴出口が設けられていることを特徴とするシュレッダー。
【請求項２】
上記マイナスイオン発生装置により形成されるマイナスイオンの発生数は、上記噴出口から１ｍ離れた位置で、１立方センチメートル当たり２００００個であることを特徴とする請求項１記載のシュレッダー。
【請求項３】
上記シュレッダー本体にはレターオープナーが設けられていることを特徴とする請求項１又は２記載のシュレッダー。
【請求項４】
上記シュレッダー本体は、引き出し型のダストボックスを有していることを特徴とする請求項１〜３記載のシュレッダー。
【考案の詳細な説明】
【技術分野】
【０００１】
本考案はシュレッダーに係り、特に、室内環境を清浄化することができるシュレッダーに関する。
【背景技術】
【０００２】
オフィスや家庭などにおいては、情報やプライバシーを守る必要があることから、漏らしてはならない事項が印刷された各種書類を細かく裁断して、再構成不能な状態にしてからから廃棄する必要がある。
【０００３】
このような作業を行うには、紙を細かく裁断しうるシュレッダーを用いることが便利であり、そのためシュレッダーは多くの場所で広く使用されている。
【０００４】
しかしながら、シュレッダーにより紙を切断した場合、紙粉が発生して空気中に飛散しやすい。部屋の中には、多くの塵や埃が、プラスイオンに帯電した状態で、空気中に浮遊している。また、煙草を吸う人がいると、煙草の煙も、プラスイオンに帯電した状態で、空気中に浮遊している。従って、上記紙粉が空気中に漂っている塵、埃、煙草の煙等と混じり合うことから、室内環境がさらに悪化するという弊害がある。
【０００５】
ところで、部屋の空気を清浄化するには、空気清浄器などを設置する方法もあるが、シュレッダーと空気清浄器とを備えた場合には経費が嵩む、という不具合がある。
【０００６】
本出願人は、上記不具合を解消しうる手段について先行技術を調査したが、関連する先行技術文献を見出すことはできなかった。
【考案の開示】
【考案が解決しようとする課題】
【０００７】
そこで本考案の課題は、紙を切断する際に発生する微細な紙粉をマイナスイオンを帯電させることにより落下させて、室内環境を清浄化しうるシュレッダーを提供することにある。
【課題を解決するための手段】
【０００８】
上記課題を解決するために、請求項１記載の本考案に係るシュレッダーは、マイナスイオン発生装置を一体に有し、上記マイナスイオン発生装置はシュレッダー本体に内蔵され、上記シュレッダー本体のケースにはマイナスイオン噴出口が設けられていることを特徴とする。
【０００９】
即ち、請求項１記載の本考案に係るシュレッダーにあっては、情報やプライバシーを守るために、上記シュレッダー本体により、外部に開示してはならない事項が、記載又は印刷された各種書類を再構成不能な状態に細かく裁断することができると共に、上記マイナスイオン発生装置によりマイナスイオンを発生させて、紙を裁断する際に発生してプラスイオンに帯電した紙粉と結合して落下させることができる。
なお、上記マイナスイオン発生装置から発生するマイナスイオンは、上記の紙粉のみでなく、プラスイオンに帯電して空気中に浮遊している塵、埃、煙草の煙等とも結合しうるので、部屋の空気を清浄にすることができる。
【００１０】
また、請求項２記載の本考案に係るシュレッダーは、上記マイナスイオン発生装置により形成されるマイナスイオンの発生数は、上記噴出口から１ｍ離れた位置で、１立方センチメートル当たり２００００個であることを特徴とする。
【００１１】
即ち、請求項２記載の本考案に係るシュレッダーにあっては、上記マイナスイオン発生装置により形成されるマイナスイオンの発生数を、プラスイオンに帯電して部屋の空気中に浮遊している塵や埃に有効に対応しうるように、上記マイナスイオンの発生数を、上記噴出口から１ｍ離れた位置で、１立方センチメートル当たり２００００個としたものである。
【００１２】
また、請求項３記載の本考案に係るシュレッダーは、上記シュレッダー本体にはレターオープナーが設けられていることを特徴とする。
【００１３】
即ち、請求項３記載の本考案に係るシュレッダーにあっては、封筒を開封しうるレターオープナーが上記シュレッダー本体に一体に設けられることにより、上記シュレッダー本体には紙を細かく裁断する機能以外の機能が付加され、有用性が高められている。
【００１４】
また、請求項４記載の本考案に係るシュレッダーは、上記シュレッダー本体は、引き出し型のダストボックスを有していることを特徴とする。
【００１５】
即ち、請求項４記載の本考案に係るシュレッダーにあっては、上記シュレッダー本体により裁断した紙屑を収納しうるダストボックスを備えており、上記ダストボックス内が上記紙屑で満杯になった場合に、上記ダストボックスを上記シュレッダー本体から容易に取り外して上記紙屑を捨て易くするために、上記ダストボックスを引き出し型として構成したものである。
【考案の効果】
【００１６】
請求項１記載の本考案に係るシュレッダーは、マイナスイオン発生装置を一体に有していることから、紙を切断することにより紙粉が発生して空気中に浮遊している塵、埃、煙草の煙等と混じり合っても、上記マイナスイオン発生装置により形成されるマイナスイオンがプラスイオンに帯電している上記塵、埃、煙草の煙、紙粉等と結合して中和することになるので、部屋の中の空気が清浄化される。従って、シュレッダーの使用時に室内環境の悪化を抑止し、当該室内で作業する人間の健康が損なわれる事態を抑制することができる。
また、上記マイナスイオン発生装置はシュレッダー本体に内蔵され、上記シュレッダー本体のケースにはマイナスイオン噴出口が設けられていることから、シュレッダー本体のデザインの自由度を確保することができる。
また、マイナスイオンは上記マイナスイオン噴出口から噴出されるので、部屋中に飛散しやすく、プラスイオンに帯電して空気中に浮遊している塵、埃、煙草の煙、紙粉等と結合し、室内の空気環境を改善しやすい。
【００１７】
また、請求項２記載の本考案に係るシュレッダーは、上記マイナスイオン発生装置により形成されるマイナスイオンの発生数は、上記噴出口から１ｍ離れた位置で、１立方センチメートル当たり２００００個であることから室内の空気を有効に清浄化することができる。
【００１８】
また、請求項３記載の本考案に係るシュレッダーは、上記シュレッダー本体にはレターオープナーが設けられていることから、紙を細かく切断する機能、マイナスイオンを発生して空気を清浄化にする機能に加えて、郵便物を開封する機能が付加されるので、有用性が増大する。
【００１９】
また、請求項４記載の本考案に係るシュレッダーは、上記シュレッダー本体は、引き出し型のダストボックスを有していることから、切断された紙屑が上記ダストボックスに溜まった場合に、上記ダストボックスを引き出して容易に紙屑を捨てることができることから、高い利便性を確保することができる。
【考案を実施するための最良の形態】
【００２０】
以下、図面を用いて本考案の実施の形態について説明する。
本実施の形態に係るシュレッダー１１は、図１及び図２に示すように、マイナスイオン発生装置１２を一体に有し、上記マイナスイオン発生装置１２はシュレッダー本体１３に内蔵され、上記シュレッダー本体１３のケース１４にはマイナスイオン噴出口１５が設けられている。
また、上記マイナスイオン発生装置１２により形成されるマイナスイオンの発生数は、上記噴出口１５から１ｍ離れた位置で、１立方センチメートル当たり２００００個となるように設定されている。
また、上記シュレッダー本体１３には、図１及び図２に示すように、レターオープナー１６が設けられている。
また、上記シュレッダー本体１３は、図２に示すように、引き出し型のダストボックス１７を有している。
【実施例１】
【００２１】
図は実施例に係るシュレッダー１１を示したものである。
本実施例に係るシュレッダー１１は、図１に示すように、シュレッダー本体１３のケース１４内に裁断刃１８が回動しうるように配置されると共に、上記裁断刃１８を駆動するためのモーター１９が内蔵されている。
【００２２】
また、図１に示すように、上記シュレッダー本体１３における上記ケース１４の上面部２０には裁断する紙の投入口２１が開設されると共に、上記投入口２１の前方に注意表示部２２が配置されている。
なお、上記投入口２１には赤外線センサー（図示せず）が備えられており、上記投入口２１に紙が投入された場合に上記赤外線センサーが検知して、裁断刃１８を自動運転しうるように構成されている。また、裁断が終了した状態を検知して、上記裁断刃１８の運転を停止させる自動停止機能も有している。
【００２３】
上記投入口２１は、幅寸法が１２０ｍｍまでの紙を、即ち、二つ折りしたＡ４サイズの紙を投入可能な長さ寸法を有している。
なお、上記裁断刃１８による裁断方式はクロスカットで、裁断した紙屑のサイズは３×２２ｍｍに設定され、又、最大裁断枚数は二つ折りしたＡ４サイズの普通紙で３枚、ハガキの場合は１枚に設定されている。
【００２４】
また、上記裁断刃１８による裁断速度は３．１ｍ／分（５０Ｈｚ）、２．１ｍ／分（６０Ｈｚ）に、又、連続使用時間は５分間（Ａ４二つ折り１枚連続裁断時）にそれぞれ設定されている。
【００２５】
また、本実施例に係るシュレッダー１１は、静音設計され、音量は運転時で６２ｄＢに、裁断時で６６ｄＢに抑えられている。
【００２６】
また、本実施例に係るシュレッダー１１は、上記投入口２１に規定以上の枚数が投入された場合や、過大な負荷がかかった場合に、自動的に検知し、逆回転して紙を排出するオートリバース機能を有している。
【００２７】
また、上記注意表示部２２には、図１に示すように、紙が詰まった場合に、手動運転に切り換えて逆回転させることにより紙を排出させるための手動運転切替スイッチ２３と逆回転スイッチ２４が配置されている。
【００２８】
また、本実施例に係るシュレッダー１１は、自動制御により上記モーター１９の状態を監視し、連続運転して上記モーター１９が熱を持ち焼き付くのを防止するため、一定期間運転をストップさせるオーバーヒート防止機能を有している。
【００２９】
また、図１に示すように、上記シュレッダー本体１３における上記裁断刃１８の下方には、上記裁断刃１８により紙が裁断されて形成された紙屑が落下した際に、その紙屑を収納しうるダストボックス１７が配置されている。
【００３０】
上記ダストボックス１７は上記シュレッダー本体１３のケース１４における前面部２５に露呈しており、図２に示すように、上記前面部２５から前方へ引き出して、内部に収納された紙屑を捨てることができるように形成されている。
なお、上記ケース１４から上記ダストボックス１７を引き出すと、自動的に電源が切れるようにダストボックス安全機能が付加されている。
【００３１】
また、図１に示すように、上記シュレッダー本体１３にはマイナスイオン発生装置（イオナイザー）１２が一体に搭載されている。
【００３２】
また、上記マイナスイオン発生装置１２により形成されたマイナスイオンを放出するために、図１に示すように、上記ケース１４の上面部２０にマイナスイオン噴出口１５が配置されている。
【００３３】
上記マイナスイオン発生装置１２により形成されるマイナスイオン発生量は、室温２５℃、湿度６０％の条件下で、上記噴出口１５から１ｍ離れた位置で１立方センチメートル当たり２００００個、上記噴出口１５から６０ｃｍ離れた位置で１立方センチメートル当たり５００００個となるように設定されている。
【００３４】
本実施例では、上記マイナスイオン発生装置１２は上記シュレッダー本体１３と連動しており、シュレッダー１１の主電源をＯＮ状態にした場合には、マイナスイオン発生装置１２が自動的に作動するように構成されている。
【００３５】
また、上記シュレッダー本体１３には、図１に示すように、上記ケース１４の側面部２６の上端部には高さ方向に沿って形成された溝部を有するレターオープナー１６が配置されている。
【００３６】
なお、上記レターオープナー１６は最大２０ｃｍ幅の封筒をカットしうるように形成されている。
【００３７】
なお、上記シュレッダー本体１３には、図１に示すように、上記裁断刃１８、モーター１９、マイナスイオン発生装置１２、レターオープナー１６を制御しうる制御部２７が設けられている。
【００３８】
以下、上記実施例の作用について説明する。
上記シュレッダー本体１３を作動させて上記裁断刃１８により紙を細かく裁断すると紙粉が発生して部屋の空気中に飛散し、塵や埃、煙草の煙等と混じり合う。これにより部屋の空気が汚れて環境が悪化する。
しかしながら、上記シュレッダー本体１３に搭載された上記マイナスイオン発生装置１２が作動することによりマイナスイオンが発生し、そのマイナスイオンがプラスイオンに帯電している上記塵、埃、煙草の煙、紙粉等と結合して落下することから、部屋の空気が清浄になり環境が改善される。
【００３９】
また、上記マイナスイオン発生装置１２により形成されるマイナスイオンの発生数は、上記噴出口から１ｍ離れた位置で、１立方センチメートル当たり２００００個であることから、部屋の空気中に浮遊している塵、埃、煙草の煙に、上記シュレッダー本体１３から放出される紙粉が混入しても、それらと結合して中和するために必要なマイナスイオンを不足なく十分に供給することができる。従って、上記シュレッダー本体１３が据え置かれた部屋の空気が清浄になり、環境の悪化を抑制することができる。
【００４０】
また、上記シュレッダー本体１３にはレターオープナー１６が一体に搭載されていることから、紙を細かく裁断して紙屑にする機能と、上記マイナスイオン発生装置１２により空気を清浄化にして環境を改善する機能に加えて、封筒を開封しうる機能が付加されることになるため、有用性が向上する。
【００４１】
また、上記シュレッダー本体１３は、引き出し型のダストボックス１７を有していることから、上記ダストボックス１７に収納された紙屑が満杯になった場合に、上記ダストボックス１７を上記ケース１４の前方へ引き出すことにより紙屑を容易に捨てることができ、利便性が向上する。
【産業上の利用可能性】
【００４２】
本考案は紙を細かく裁断する機器に適用可能である。
【図面の簡単な説明】
【００４３】
【図１】実施例に係るシュレッダーの斜視図である。
【図２】実施例に係るシュレッダーのダストボックスを引き出した状態を示す斜視図である。
【符号の説明】
【００４４】
１１  シュレッダー
１２  マイナスイオン発生装置
１３  シュレッダー本体
１４  ケース
１５  マイナスイオン噴出口
１６  レターオープナー
１７  ダストボックス
１８  裁断刃
１９  モーター
２０  上面部
２１  投入口
２２  注意表示部
２３  手動運転切替スイッチ
２４  逆回転スイッチ
２５  前面部
２６  側面部
２７  制御部
【図１】
0003114248.tif 000003
【図２】
0003114248.tif 000004